(57)【要約】【課題】オンラインチケットまたはサービス提供を確約した証明書等を窓口に並ぶ手間等を省き、手軽に購入することができ、また、安全確実にチケットあるいは証明書等の有効確認を行うことができる。【解決手段】チケット等購入者がチケット等販売窓口に行くことなくインターネットを介し、オンラインでチケット等を購入する仕組みがあるが、チケット等引渡しについては、郵送、窓口受取、当日会場受取、チケット等を自宅にてプリントアウトする方法がある。このシステムは、プリントアウトをする方法であるが、このチケット等紙媒体に印刷されるバーコードに当社開発の暗号化方法のＤｙｎａｍｉｃ  Ｐｒｏｔｏｃｏｌを用い、会場でのチケット有効確認を行うものである。また、会場においても、認証システムに高価なコストをかけることなく、当社開発有効承認プログラムをインストールした、既存の電子演算処理装置や、ＰＤＡを用い、容易に屋外、屋内の別を問わず、またＰＤＡを用いる場合は、その携帯性により、初期投資を最低限に抑えつつ、容易な認証システムを提供するものである。【選択図】  図１
2006209715.tif 000002
【特許請求の範囲】
【請求項１】
本発明で提供されるシステムを使用する過程とこれを通じてチケットもしくは証明書等がデジタル化してサーバへ保管する段階（ｄ０４）、またこれを一般の紙を通じて有価証券と同じ効力を発揮する有効な券を発行する段階（ｓ１０８）を含む方法
【請求項２】
発行された有効な券をＷｉＦｉ機器でリアルタイムに有効確認する段階（ｓ２０２）とこの結果を通知する段階（ｓ２０３）と方法
【発明の詳細な説明】
【技術分野】
【０００１】本発明は、インターネット等のネットワークを利用してオンライン電子チケットまたは確たるサービスの提供を受ける権利を証明する証明書等を購入する技術に関し、チケット画面または証明書画面を購入者の端末に転送し印刷させるため、また、販売済みチケットまたは証明書の情報を暗号化技術により暗号化し、バーコードあるいはその他のデータ表現方法による表現を用いて正確かつ安全、迅速に有効確認をするためのプログラムを記憶した記憶媒体に関するものである。
【背景技術】
【０００２】現在、インターネット等を介して、チケットやその他商品を購入することが出来る。【０００３】チケットやその他商品を購入した後の処理としては、購入者がチケットまたは商品を郵送、または宅配で入手する、窓口で入手する、当日会場で入手する、また、何らかの確認番号を購入者端末に発信し、それによって、会場で有効確認をする方法がある。【０００４】このような方法に加えて、携帯電話等のチケット等購入者の端末にチケット等のデータを発信し、そのデータと販売元にあるデータを当日会場で有効確認を行う方法もある。
【発明の開示】
【発明が解決しようとする課題】
【０００５】ただし、以上のような方法によると、チケット等の購入者にチケット等の引き取りの手間がかかる。また、チケット等引き取りの手間を伴わない方法、つまり、チケット等購入者の端末に確認番号等を送付することによって当日有効確認を行う方法等によっても、当日会場での有効確認処理のため、固定型のシステム装置が必要になるなど、高価な装備等が必要となる。さらに、有効確認の面で安全性が危惧される上、チケット等の情報を端末に発信する方法でも、その端末の機能に依存する等々の問題が起こる。
【課題を解決するための手段】
【０００６】この点で、この発明は、紙のチケットあるいはサービスを確約する証明書を自宅の汎用パソコンでダウンロードし、プリンタでプリントアウトするので、端末の機能に依存することがなく、また、紙のチケットあるいはサービスを確約する証明書にプリントされたユニークな情報を持つバーコードは、暗号化されており、有効確認の際にも安全性が確保される。【０００７】また、チケット等購入においても、インターネットへの接続環境さえあれば、汎用パソコンと汎用プリンタで購入、チケット等をプリントアウトができ、有効確認に際しても、既存のパーソナルコンピューター、ＰＤＡ、バーコードスキャナ等を用いて特別な機器を新たに開発する必要もなく、廉価に有効確認の仕組みを確立することができる。
【発明の効果】
【０００８】従来の技術に比べると、チケット等の受け渡しの手間がない。【０００９】従来の技術に比べると、チケット等の有効確認に関するコストが少ない。【００１０】従来の技術に比べると、チケット等情報の暗号化技術を採用し、有効確認の正確性と安全性が確保される。
【発明を実施するための最良の形態】
【００１１】以下、本発明の実施の形態を図面により詳細に説明する。
【実施例】
【００１２】人気アーティストのコンサートチケットをインターネットホームページから販売し、チケット購入者にはチケット画像を送信し、プリントアウトしてもらう。そのチケットの情報を当日会場に設置された端末に転送し、購入者がプリントアウトして持参のチケットにバーコードで表現された暗号化されたデータと照合する。【００１３】これらの過程によって、手軽にチケットを購入者へ引き渡し、安全かつ正確に、また、端末の汎用性、携帯性によって場所を問わず迅速に、有効確認を行う。
【産業上の利用の可能性】
【００１４】ＡＳＰサービスとして当システムを提供し、チケット販売元の資金力、規模等関係なく、オンラインチケット販売を実現する可能性を持っている。
【図面の簡単な説明】
【００１５】
【図１】図１は、本発明が運用される過程を示す概略的なシステム構成を示した図である。図１で図示する内容は以下の通りである。サービス登録データベース（ｄ０１）、使用者登録データベース（ｄ０２）、代金決済データベース（ｄ０３）、オンラインチケット生成及び保管サーバ（ｄ０４）で構成され、購入者が最初にサイトに接続してサービスを使用しようとする過程（ｓ１０１）、サービスを選択して申請する過程（ｓ１０２）、申請したサービスが有効か確認する過程、サービス確認結果を通知されてサービス申請の為に使用者情報を登録する過程（ｓ１０４）、入力された情報が使用者データベースへ登録される過程（ｓ１１０）、代金決済の為に申請する過程（ｓ１０５）、決済手段を選択する過程（ｓ１１３）、選択された方法により外部のカード認定及び送金等の代替手段等で決済を確認する過程（ｓ１１１〜ｓ１１２）、確認されたサービスのチケットをデジタルで転換して生成する過程及びサーバへ保管する内部過程を通じて申請者へ確認通知される過程（ｓ１０６）、発券要請をする過程（ｓ１０７）、代金決済情報が確認されれば、申請者へ印刷出来る様に情報が保管されたデジタルチケットが転送され出力もしくは印刷される過程（ｓ１０８）を示す図である。
【図２】図２は発券されたデジタルチケットを実際に現場で使用し、有効確認を行う方法を示す図である。自宅等のプリンタで購入者により発券されたデジタルチケットは、現在流通している印刷工場か発券機により発券された既存のチケットと同じであるが、偽造チケット対策のため、このシステムにより発券されるチケットが、正規に購入されたものであるか確認するのに必要とされる有効確認の方法を示す。購入者によって紙に印刷されたチケットを携帯性が提供された携帯型無線端末機もしくは無線バーコードスキャナで読み取る過程（ｓ２０２）、無線ＬＡＮを通じたサービス登録データベース（ｄ２１）を通じるかもしく既に登録された使用者のデータベースをダウンロードして端末機に保管された情報と照合して承認する過程（ｓ２０３）を示す。
【図３】図３は実際図１と図２のシステムを使用するチケット販売元、主催者あるいは興行主（総じて主催者とする）が本システムへ登録する過程を示す。主催者が本システムに関連してサービス登録データベース（ｄ３０）へ登録すると自動的に生成される主催者用発券勘定データベース（ｄ３１）で運営される過程を示す。発券システムを使用する主催者が発券サービスを申請する過程（ｓ３０２）、登録が完了されれば図１で提示された様にチケット購入者がウェブを通じて本発券システムへアクセス出来るｘｍｌ  モジュール（Ｍｏｄｕｌｅ）のコード（Ｃｏｄｅ）を生成及び付与する過程（ｓ３０３）、生成された発券モジュールをアップロードする過程（ｓ３０４）、アップロードした発券モジュールを自分のホームページへリンクもしくは変換して設置する過程（ｓ３０５）を示す。以上、チケット購入者が主催者のサイトへアクセスして本発明の発券システムを使用出来る状態になる過程を示す。
【図１】
2006209715.tif 000003
【図２】
2006209715.tif 000004
【図３】
2006209715.tif 000005